(57)【特許請求の範囲】
【請求項１】
柔軟性基材と、
柔軟性基材に設けられたアンテナとを備え、
柔軟性基材は、中心面と、中心面の外周に基材折曲線を介して折曲げられて連結された複数の外周面とを有し、
アンテナは、柔軟性基材の基材折曲線に対応して折曲げられて、中心面上および少なくとも隣り合う一対の外周面上に配置され、この一対の外周面は中心面に対して互いに逆方向に折曲げられていることを特徴とする非接触式データキャリア。
【請求項２】
前記アンテナはブースタアンテナであり、ブースタアンテナの近傍には、アンテナコイルと、アンテナコイルに接続されたＩＣチップとを有するＩＣチップ体が設けられていることを特徴とする請求項１記載の非接触式データキャリア。
【請求項３】
請求項１または２のいずれか記載の非接触式データキャリアと、
この非接触式データキャリアを収納するパッケージとを備えたことを特徴とする非接触式データキャリアとパッケージとの組合体。
【請求項４】
前記パッケージは一対の外周面のうち、一の外周面を支持する支持板を有する底蓋と、他の外周面を支持する支持板を有する上蓋とを備え、底蓋の支持板と上蓋の支持板とにより、中心面に対して折曲げられた一対の外周面を折曲げた状態で維持することを特徴とする請求項３記載の非接触式データキャリアとパッケージとの組合体。
【発明の詳細な説明】
【０００１】
【発明の属する技術分野】
本発明は、柔軟基材とアンテナとを有する非接触式データキャリア、およびその組合体に関する。
【０００２】
【従来の技術】
従来より非接触式データキャリアが、物流システムにおいて用いられている。このような非接触式データキャリアは、例えば製品のケースに貼付されて使用される。
【０００３】
非接触式データキャリアは、一般に樹脂基材と、樹脂基材上に設けられたアンテナとを有している。
【０００４】
非接触式データキャリアに対して読取機側から電磁波が発せられると、アンテナに誘導電圧が発生し、このとき発生する誘導電圧が読取機により非接触式データキャリアの情報として読み取られる。
【０００５】
【発明が解決しようとする課題】
非接触式データキャリアは、上述のように樹脂基材と、樹脂基材上に設けられたアンテナとを有しており、非接触式データキャリアは製品のケースに貼付される。この場合、非接触式データキャリアの情報を複数方向から読み取ることができれば、情報の読み取りを迅速に行なうことができて都合が良い。
【０００６】
本発明はこのような点を考慮してなされたものであり、複数方向からその情報を読み取ることができる非接触式データキャリア、およびその組合体を提供することを目的とする。
【０００７】
【課題を解決するための手段】
本発明は、柔軟性基材と、柔軟性基材に設けられたアンテナとを備え、柔軟性基材は、中心面と、中心面の外周に基材折曲線を介して折曲げられて連結された複数の外周面とを有し、アンテナは、柔軟性基材の少なくとも１つの基材折曲線に対応して折曲げられて、中心面上および少なくとも１つの外周面上に配置されることを特徴とする非接触式データキャリアである。
【０００８】
本発明は、上記記載の非接触式データキャリアと、この非接触式データキャリアを収納するパッケージとを備えたことを特徴とする非接触式データキャリアとパッケージとの組合体である。
【０００９】
本発明によれば、柔軟性基材の中心面または外周面のいずれかの外方に読取機を設置しておけば、非接触式データキャリアからの情報を読取機により確実に読み取ることができる。
【００１０】
【発明の実施の形態】
第１の実施の形態
以下、図面を参照して本発明の実施の形態について説明する。図１乃至図６は本発明の第１の実施の形態を示す図である。
【００１１】
図１に示すように、非接触式データキャリア３０は、合成樹脂等からなる柔軟性基材３１と、柔軟性基材３１上にフォトレジスト層（図示せず）を用いてエッチングにより形成されたアルミ製の金属製ブースタアンテナ３３とを備えている。
【００１２】
また柔軟性基材３１上であってブースタアンテナ３３の近傍には後述するＩＣチップ体１０が設けられている。
【００１３】
図１に示すように、柔軟性基材３１は四角形の中心面３１ａと、中心面３１ａの外周に基材折曲線３５を介して折曲げられて連結された４つの外周面３１ｂ、３１ｃ、３１ｄ、３１ｅとを有している。ブースタアンテナ３３は柔軟性基材３１の少なくとも１つの基材折曲線３５に対応して折曲げられ、中心面３１ａ上および各外周面３１ｂ、３１ｃ、３１ｄ、３１ｅ上に配置されている。なお、ブースタアンテナ３３を中心面３１ａ上と、外周面３１ｂ〜３１ｅ上の少なくとも一つに配置してもよい。
【００１４】
次にＩＣチップ体１０について述べる。図１０に示すようにＩＣチップ体１０はＰＥＴ製の樹脂基材１１と、樹脂基材１１上の略全域にフォトレシスト層（図示せず）を用いてエッチングにより形成されたアルミ製の金属製アンテナコイル１３と、アンテナコイル１３に接続されたＩＣチップ２０とを有している。
【００１５】
このような構成からなる非接触式データキャリア３０は、図２に示すようにパッケージ４０内に収納され、これら非接触式データキャリア３０とパッケージ４０とにより非接触式データキャリアとパッケージとの組合体が得られる。
【００１６】
パッケージ４０内において、非接触式データキャリア３０の外周面３１ｂ−３１ｅは中心面３１ａに対して交互に逆方向に折曲げられ、このため隣り合う一対の外周面３１ｂ−３１ｅは互いに逆方向を向く。
【００１７】
この場合、パッケージ４０の材料は、ポリプロピレン樹脂により構成される。
また非接触式データキャリア３０を収納したパッケージ４０は図示しない製品外方に取付けられる。
【００１８】
図２において、非接触式データキャリア３０を収納したパッケージ４０に対して図示しない読取機を向けた場合、読取機によりＩＣチップ体１０のＩＣチップ２０の情報を読み取ることができる。
【００１９】
すなわち読取機側から電磁波が発せられると、ブースタアンテナ３３により誘導電圧が生じ、これによりＩＣチップ体１０に向かう電磁波の磁束が上昇する。ＩＣチップ体１０に向かう電磁波の磁束が大きくなると、ＩＣチップ体１０のＩＣチップ２０が作動し、ＩＣチップ２０内のメモリ情報を読取機側へ応答送信することによりＩＣチップ２０内の情報が読取機により読み取られる。
【００２０】
この場合、ブースタアンテナ３３により誘導電圧を生じさせるので、非接触式データキャリア３０と読取機との間の距離が離れていてもＩＣチップ２０を確実に作動させることができる。
【００２１】
ところで、非接触式データキャリア３０の外周面３１ｂ−３１ｅは、中心面３１ａに対して交互に逆方向に折曲げられて配置されているので、パッケージ４０の外方において、いずれの角度から読取機をパッケージ４０側に向けた場合でも、この読取機に対応する面３１ａ−３１ｃのブースタアンテナ３３により誘導電圧が生じることになる。このため、パッケージ４０の外方の全方向から読取機を用いてＩＣチップ２０の情報を確実に読み取ることができる。
【００２２】
次に図３によりパッケージ４０の変形例について説明する。図３に示すように、パッケージ４０を一対の支持板４２、４２を有する底蓋４１と、一対の支持板４４、４４を有する上蓋４３とから構成してもよい。
【００２３】
底蓋４１の支持板４２、４２は外周面３１ｂ、３１ｄを支持するようになっており、上蓋４３の支持板４４、４４は外周面３１ｃ、３１ｅを支持するようになっており、これら支持板４２、４２、４４、４４により、外周面３１ｂ−３１ｅを中心面３１ａに対して精度良く直角（９０°）に折曲げた状態で維持することができる。
【００２４】
このように、中心面３１ａに対して外周面３１ｂ−３１ｅを交互に９０°に折曲げることにより、いずれかの面３１ａ−３１ｅ間において、ブースタアンテナ３３により生じる電磁波の磁束が打消されることはなく、このため電磁波の磁束が減少することはない。すなわち隣り合う一対の面３１ａ−３１ｅが平面上に配置されていると、隣り合う一対の面３１ａ−３１ｅのブースタアンテナ３３により生じる電磁波の磁束が打消されてしまうが、本発明によれば隣り合う一対の面３１ａ−３１ｅのブースタアンテナ３３により生じる電磁波の磁束が打消されてしまうことはない。
【００２５】
なお、図４に示すように、パッケージ４０内において、非接触式データキャリア３０の中心面３１ａに対して外周面３１ｂ−３１ｅを交互に逆方向に折曲げるとともに、各外周面３１ｂ−３１ｅの折曲角を４５°程度としてもよい。
【００２６】
また図５に示すように、パッケージ４０内において、非接触式データキャリア３０の中心面３１ａに対して外周面３１ｂ−３１ｅを同一方向に折曲げるとともに、各外周面３１ｂ−３１ｅの折曲角を４５°程度としてもよい。
【００２７】
さらに図６に示すように、パッケージ４０内において、非接触式データキャリア３０の中心面３１ａに対して外周面３１ｂ−３１ｅを同一方向に折曲げるとともに、各外周面３１ｂ−３１ｅの折曲角を９０°程度としてもよい。
【００２８】
第２の実施の形態
次に図７乃至図９により、本発明の第２の実施の形態について説明する。
【００２９】
図７乃至図９に示す第２の実施の形態は、非接触式データキャリア３０の中心面３１ａに対して、６つの外周面３１ｂ−３１ｇを連結したものであり、他は図１乃至図６に示す第１の実施の形態と略同一である。図７乃至図９において、図１乃至図６に示す第１の実施の形態と同一部分には同一符号を付して詳細な説明は省略する。
【００３０】
図７乃至図９において、中心面３１ａは六角形をなし、中心面３１ａの外周に６つの外周面３１ｂ−３１ｇが連結されている。このような非接触式データキャリア３０は、パッケージ４０内に配置され、非接触式データキャリアとパッケージとの組合体を構成する。
【００３１】
パッケージ４０内に収納された非接触式データキャリア３０は、外周面３１ｂ−３１ｇが中心面３１ａに対して交互に逆方向へ９０°折曲げられているが（図８）、外周面３１ｂ−３１ｇを中心面３１ａに対して同一方向へ９０°折曲げてもよい。
【００３２】
【発明の効果】
以上のように本発明によれば、非接触式データキャリアの情報を複数方向から読み取ることができるので、情報の読み取りを迅速に行なうことができる。
【図面の簡単な説明】
【図１】本発明の第１の実施の形態による非接触式データキャリアの折曲げ前の状態を示す平面図。
【図２】非接触式データキャリアをパッケージ内に収納した状態を示す図。
【図３】パッケージの変形例を示す図。
【図４】非接触式データキャリアをパッケージ内に収納した状態を示す図。
【図５】非接触式データキャリアをパッケージ内に収納した状態を示す図。
【図６】非接触式データキャリアをパッケージ内に収納した状態を示す図。
【図７】本発明の第２の実施の形態による非接触式データキャリアの折曲げ前の状態を示す平面図。
【図８】非接触式データキャリアをパッケージ内に収納した状態を示す図。
【図９】非接触式データキャリアをパッケージ内に収納した状態を示す図。
【図１０】ＩＣチップ体を示す図。
【符号の説明】
１０  ＩＣチップ体
１１  樹脂基材
１３  アンテナコイル
２０  ＩＣチップ
３０  非接触式データキャリア
３１  柔軟性基材
３１ａ  中心面
３１ｂ−３１ｇ  外周面
３３  ブースタアンテナ
３５  基材折曲線
４０  パッケージ
【図１】
0004548921.tif 000002
【図２】
0004548921.tif 000003
【図３】
0004548921.tif 000004
【図４】
0004548921.tif 000005
【図５】
0004548921.tif 000006
【図６】
0004548921.tif 000007
【図７】
0004548921.tif 000008
【図８】
0004548921.tif 000009
【図９】
0004548921.tif 000010
【図１０】
0004548921.tif 000011